(57)【特許請求の範囲】
【請求項１】
端末がハンドオーバーされるターゲット側エレメントが、ソース側エレメントから送信された、無線ローカルエリアネットワークＷＬＡＮ補助情報又はＷＬＡＮ補助情報とオフロードルール情報、ＷＬＡＮ測定レポート情報、オフロード決定情報、ＷＬＡＮとの相互動作を支援する能力指示情報の中の少なくとも一つとを含むソース側情報を受信すること、及び／又は、
前記ターゲット側エレメントが前記ソース側エレメントに、ＷＬＡＮ補助情報又はＷＬＡＮ補助情報と負荷情報、オフロードルール情報、測定コンフィグレーション情報、オフロード決定情報、ＷＬＡＮとの相互動作を支援する能力指示情報の中の少なくとも一つとを含むターゲット側情報を送信すること、を含み、
前記ＷＬＡＮ補助情報は、セルカバー範囲内のＷＬＡＮリスト情報、無線アクセスネットワークＲＡＮがＵＥに提供可能な最大リソース割当、ＷＬＡＮ閾値情報、ＲＡＮ閾値情報の中の少なくとも一つを含む情報インタラクション処理方法。
【請求項２】
前記オフロードルール情報は、ＲＡＮとアクセスネットワーク発見及び選択機能エンティティＡＮＤＳＦとの間の情報の優先度、ＷＬＡＮとＲＡＮとの間の選択優先度、ＷＬＡＮ閾値使用方法、ＲＡＮ閾値使用方法の中の少なくとも一つを含む請求項１に記載の方法。
【請求項３】
前記ＷＬＡＮ測定レポート情報は、端末により測定されたＷＬＡＮの信号品質、端末により測定されたＷＬＡＮの信号強度、端末により測定されたＷＬＡＮの負荷、端末により測定されたＷＡＮ指標の中の少なくとも一つを含む請求項１に記載の方法。
【請求項４】
前記オフロード決定情報は、ＲＡＮからＷＬＡＮへのオフロードの実行を端末に指示する情報、ＷＬＡＮからＲＡＮへのオフロードの実行を端末に指示する情報、端末のＲＡＮでの業務の一部をＷＬＡＮにオフロード、端末のＲＡＮでの業務の全部をＷＬＡＮにオフロード、端末のＷＬＡＮでの業務の一部をＲＡＮにオフロード、端末のＷＬＡＮでの業務の全部をＲＡＮにオフロード、端末のＲＡＮでのベアラの一部をＷＬＡＮにオフロード、端末のＲＡＮでのベアラの全部をＷＬＡＮにオフロード、端末のＷＬＡＮでのベアラの一部をＲＡＮにオフロード、端末のＷＬＡＮでのベアラの全部をＲＡＮにオフロードの中の少なくとも一つを含む請求項１に記載の方法。
【請求項５】
前記測定コンフィグレーション情報は、測定レポートのトリガーイベント情報、選択候補の測定ＷＬＡＮ識別情報、測定レポート報知周期情報、測定レポートのコンテンツ範囲情報の中の少なくとも一つを含む請求項１に記載の方法。
【請求項６】
端末がハンドオーバーされるターゲット側エレメントが、Ｘ２インターフェースシグナル、Ｓ１インターフェースシグナル、Ｉｕｒインターフェースシグナル、移動管理エンティティＭＭＥにより転送する方式、サービング汎用パケット無線サービスサポートノードＳＧＳＮにより転送する方式、前記ＭＭＥと前記ＳＧＳＮにより転送する方式、前記ＳＧＳＮと前記ＭＭＥにより転送する方式の中の少なくとも一つの方式で、ソース側エレメントから送信されたソース側情報を受信し、及び／又は、
前記ターゲット側エレメントが、Ｘ２インターフェースシグナル、Ｓ１インターフェースシグナル、Ｉｕｒインターフェースシグナル、移動管理エンティティＭＭＥにより転送する方式、サービング汎用パケット無線サービスサポートノードＳＧＳＮにより転送する方式、前記ＳＧＳＮと前記ＭＭＥにより転送する方式、前記ＭＭＥと前記ＳＧＳＮにより転送する方式の中の少なくとも一つの方式で、前記ソース側エレメントにターゲット側情報を送信する請求項１に記載の方法。
【請求項７】
端末が、ハンドオーバーされるターゲット側エレメントから送信された、ＷＬＡＮ補助情報又はＷＬＡＮ補助情報と負荷情報、オフロードルール情報、測定コンフィグレーション情報、オフロード決定情報の中の少なくとも一つとを含むターゲット側情報を受信することと、
前記端末が前記ターゲット側情報の中の少なくとも一つに基づいてオフロード処理を実行することと、を含み、
前記ＷＬＡＮ補助情報は、セルカバー範囲内のＷＬＡＮリスト情報、無線アクセスネットワークＲＡＮがＵＥに提供可能な最大リソース割当、ＷＬＡＮ閾値情報、ＲＡＮ閾値情報の中の少なくとも一つを含むオフロード処理方法。
【請求項８】
前記端末が前記ターゲット側情報の中の少なくとも一つに基づいてオフロード処理を実行することは、
前記ＷＬＡＮ補助情報と前記測定コンフィグレーション情報との中の少なくとも一つの前記ターゲット側情報に基づいてＷＬＡＮ測定を行うことと、
前記ＷＬＡＮ補助情報と前記測定コンフィグレーション情報の中の少なくとも一つの前記ターゲット側情報に基づいて測定レポートを報知することと、
前記ＷＬＡＮ補助情報、前記負荷情報、前記オフロードルール情報の中の少なくとも一つの前記ターゲット側情報に基づいてオフロード決定を確定することと、
確定された前記オフロード決定に基づいてオフロードすることの中の少なくとも一つを含む請求項７に記載の方法。
【請求項９】
端末がハンドオーバーされるターゲット側エレメントがソース側エレメントから送信された、無線ローカルエリアネットワークＷＬＡＮ補助情報又はＷＬＡＮ補助情報とオフロードルール情報、ＷＬＡＮ測定レポート情報、オフロード決定情報、ＷＬＡＮとの相互動作を支援する能力指示情報の中の少なくとも一つとを含むソース側情報を受信するように構成されている第１の受信モジュール、及び／又は、
前記ターゲット側エレメントが前記ソース側エレメントに、ＷＬＡＮ補助情報又はＷＬＡＮ補助情報と負荷情報、オフロードルール情報、測定コンフィグレーション情報、オフロード決定情報、ＷＬＡＮとの相互動作を支援する能力指示情報の中の少なくとも一つとを含むターゲット側情報を送信するように構成されている送信モジュール、を含み、
前記ＷＬＡＮ補助情報は、セルカバー範囲内のＷＬＡＮリスト情報、無線アクセスネットワークＲＡＮがＵＥに提供可能な最大リソース割当、ＷＬＡＮ閾値情報、ＲＡＮ閾値情報の中の少なくとも一つを含む情報インタラクション処理装置。
【請求項１０】
請求項９に記載の情報インタラクション処理装置を含む基地局。
【請求項１１】
請求項９に記載の情報インタラクション処理装置を含む無線ネットワークコントローラＲＮＣ。
【請求項１２】
端末が、ハンドオーバーされるターゲット側エレメントから送信された、ＷＬＡＮ補助情報又はＷＬＡＮ補助情報と負荷情報、オフロードルール情報、測定コンフィグレーション情報、オフロード決定情報の中の少なくとも一つとを含むターゲット側情報を受信するように構成されている第２の受信モジュールと、
前記端末が前記ターゲット側情報の中の少なくとも一つに基づいてオフロード処理を実行するように構成されている実行モジュールと、を含み、
前記ＷＬＡＮ補助情報は、セルカバー範囲内のＷＬＡＮリスト情報、無線アクセスネットワークＲＡＮがＵＥに提供可能な最大リソース割当、ＷＬＡＮ閾値情報、ＲＡＮ閾値情報の中の少なくとも一つを含むオフロード処理装置。
【請求項１３】
前記実行モジュールは、
前記ＷＬＡＮ補助情報と前記測定コンフィグレーション情報の中の少なくとも一つのターゲット側情報に基づいてＷＬＡＮ測定を行うように構成されている測定ユニットと、
前記ＷＬＡＮ補助情報と前記測定コンフィグレーション情報の中の少なくとも一つのターゲット側情報に基づいて測定レポートを報知するように構成されている報知ユニットと、
前記ＷＬＡＮ補助情報、前記負荷情報、前記オフロードルール情報の中の少なくとも一つのターゲット側情報に基づいてオフロード決定を確定するように構成されている確定ユニットと、
確定された前記オフロード決定に基づいてオフロードするように構成されているオフロードユニットの中の少なくとも一つを含む請求項１２に記載の装置。
【請求項１４】
請求項１２又は１３に記載のオフロード処理装置を含む端末。
【発明の詳細な説明】
【技術分野】
【０００１】
本発明は、通信分野に関し、具体的に、情報インタラクション、オフロード（ｏｆｆｌｏａｄ）処理方法、装置、基地局、ＲＮＣ及び端末に関する。
【背景技術】
【０００２】
無線通信技術や規格が絶えずに進化するに伴って、移動パケット業務も大きく発展し、単一ＵＥのデータ処理力も絶えずに向上させている。長期進化（Ｌｏｎｇ  Ｔｅｒｍ  Ｅｖｏｌｕｔｉｏｎ、ＬＴＥと略称）システムを例にすると、２０Ｍ帯域幅内で最高レートが１００Ｍｂｐｓのダウンリンクデータ転送を支援することができ、その後の強化ＬＴＥ（ＬＴＥ  Ａｄｖａｎｃｅｄ）システムにおいて、データの転送レートはさらに向上し、１Ｇｂｐｓに達することになった。
【０００３】
ＵＥのデータ業務量が膨張式に増加して、既存のネットワークリソースはますます要求を満たすことができなくなっていて、特に、新時代の通信技術（例えば３Ｇ、ＬＴＥ）を幅広く構築できない状況下、ユーザレートや流量の需要を満たすことができず、ユーザ体験を低下させている。このような状況を如何に予防し改変するかは事業者が考慮しなければならない問題となっており、新規技術の普及及びネットワーク配置を加速化する一方、既存のネットワークと技術を補強することでネットワーク性能を高速に向上させる目的を実現しなければならない。周知のように、第３世代パートナーシッププロジェクト（Ｔｈｅ  ３ｒｄ  Ｇｅｎｅｒａｔｉｏｎ  Ｐａｒｔｎｅｒｓｈｉｐ  Ｐｒｏｊｅｃｔ、３ＧＰＰと略称）で提供した無線ネットワーク技術以外に、現在、汎用されている無線ローカルエリアネットワーク（Ｗｉｒｅｌｅｓｓ  Ｌｏｃａｌ  Ａｒｅａ  Ｎｅｔｗｏｒｋ、ＷＬＡＮと略称）、特にＩＥＥＥ８０２．１１標準に基づく無線ローカルエリアネットワークは既にホーム、企業ひいてはインターネットにおいてホットポイントへのアクセスに汎用されている。その中、ＷＩＦＩアライアンス（Ｗｉ−Ｆｉ  Ａｌｌｉａｎｃｅ）により提示された技術規範の応用が最も広いので、実際上、ＷＩＦＩネットワークはしばしばＩＥＥＥ  ８０２．１１標準に基づくＷＬＡＮネットワークと同一視され、混同しない状況下、後ろの説明でＷＩＦＩモジュールを用いてネットワークノードにおいてＷＬＡＮを支援する無線送受信及び処理モジュールを説明する。
【０００４】
当該前提下、一部の事業者と会社は既に、ＷＬＡＮと既存の３ＧＰＰアクセスネットワークを統合して連合伝送を実現し、ＷＬＡＮネットワークによって既存の３ＧＰＰアクセスネットワークの負荷オフロード（Ｏｆｆｌｏａｄ）及びネットワーク性能の向上の目的を達成することを提案した。現在、３ＧＰＰは３ＧＰＰアクセスネットワークとＷＬＡＮネットワークのインタワーキング（Ｉｎｔｅｒｗｏｒｋｉｎｇ）に関するプロトコルが制定され、図１には、関連技術におけるネットワークインタワーキングプロトコルのアーキテクチャを示し、図１に示すように、３ＧＰＰのＩｎｔｅｒｗｏｒｋｉｎｇ  ＷＬＡＮアーキテクチャによると、ＷＬＡＮネットワークが、３ＧＰＰアクセスネットワーク内の認証認可課金サーバー（Ａｕｔｈｅｎｔｉｃａｔｉｏｎ  Ａｕｔｈｏｒｉｚａｔｉｏｎ  Ａｃｃｏｕｎｔｉｎｇ、ＡＡＡと略称）を使用して統一的に認証認可を行うと共に、既存の３ＧＰＰアクセスネットワーク中のパケットデータネットワークのゲートウェイをＷＬＡＮネットワークのパケットデータゲートウェイとして多重化し、同時に、二つのネットワークの統合的な記入課金等を実現し、二つのネットワークの疎結合を実現することが許可される。
【発明の概要】
【発明が解決しようとする課題】
【０００５】
しかし、現在のＩｎｔｅｒｗｏｒｋｉｎｇアーキテクチャには、例えば現在のＩｎｔｅｒｗｏｒｋｉｎｇはＵＥユーザ機器（Ｕｓｅｒ  Ｅｑｕｉｐｍｅｎｔ、ＵＥと略称）によってトリガーされ、３ＧＰＰネットワーク側がターゲットアクセスネットワークに対する制御権利を有せず、コアネットワーク側のエレメントのアクセスネットワーク発見支援機能（Ａｃｃｅｓｓ  Ｎｅｔｗｏｒｋ  Ｄｉｓｃｏｖｅｒｙ  Ｓｕｐｐｏｒｔ  Ｆｕｎｃｔｉｏｎ、ＡＮＤＳＦと略称）が一部のポリシー性ルールを付与するが、これらのルールは比較的に静的なものであり、３ＧＰＰネットワーク側がＵＥによるアクセスネットワークの選択に対する制御権利を失うと、ＵＥにより選択されたアクセスネットワークはＵＥのＱｏＳ需要を満たすことができない可能性があって、又はＵＥが３ＧＰＰアクセスネットワークとＷＬＡＮアクセスネットワークとの間で頻繁に切り替え、ユーザ体験に影響を与える共に、無用のネットワーク負担を増加させるなど問題が存在している。
【０００６】
従って、現在、３ＧＰＰアクセスネットワークがＵＥによるネットワークの選択に参与し、ＵＥの、３ＧＰＰアクセスネットワークとＷＬＡＮとの間での切り替え又はオフロードを完全に制御するか又は一部制御する必要がある。図２は関連技術のハンドオーバープロセスにおいて３ＧＰＰアクセスネットワークとＷＬＡＮネットワークとの間のオフロード状況を示す図で、図２に示すように、端末がＣｅｌｌ  １とＣｅｌｌ  ２の二つの３ＧＰＰセルのカバー範囲内に位置し、同時に、Ｃｅｌｌ  １とＣｅｌｌ  ２のカバー範囲内には、事業者により配置された一つのＷＬＡＮネットワークがあり、ＷＬＡＮ  １と称す。ＵＥが現在、Ｃｅｌｌ  １からＣｅｌｌ  ２へハンドオーバーされており、同時に、ＵＥがＣｅｌｌ  １により提供された閾値又はポリシーに基づいて、一部又は全部の業務をＷＬＡＮネットワークにオフロードしようとするが、Ｃｅｌｌ  ２が前記３ＧＰＰアクセスネットワークとＷＬＡＮとの間の切り替え又はオフロード機能を支援しない又はＣｅｌｌ  ２が支援するものの、Ｃｅｌｌ  １の閾値又はポリシーと異なる場合、ＵＥが継続してＣｅｌｌ  １により提供された閾値又はポリシーに従ってオフロード処理を行うと、Ｃｅｌｌ  ２へのハンドオーバーに成功した後、ＵＥが行ったオフロード処理がその役割を失う可能性があり、ＵＥのエネルギーや、リソースが無駄になってしまう。Ｃｅｌｌ  ２がＷＬＡＮとの間の切り替え又はオフロード機能を支援しないが、Ｃｅｌｌ  １がそれを既知していないと、端末がＣｅｌｌ  ２にハンドオーバーされた後、既にＷＬＡＮにオフロードされた業務がＣｅｌｌ  ２に戻ることができず、ユーザ体験に影響を与えることになる。
【０００７】
現在、３ＧＰＰアクセスネットワークの基地局とＷＬＡＮネットワークのアクセスポイント（ＡＰ：Ａｃｃｅｓｓ  Ｐｏｉｎｔ）が同一基地局に属することを支援する機器があり、この時、３ＧＰＰアクセスネットワークの基地局は同一基地局に属するＷＬＡＮネットワークのリアルタイムな情報を把握でき、該情報は端末がＷＬＡＮを走査する時間を短縮することができ、端末のエネルギー消費を節約でき、一方、ＷＬＡＮネットワークと同一基地局に属しない３ＧＰＰアクセスネットワークの場合、通常、Ｏ＆Ｍ配置を介してカバー領域でのＷＬＡＮネットワークの配置を把握できるが、Ｏ＆Ｍの更新周期が長く、ＷＬＡＮネットワークのリアルタイムな情報を取得できなく、これにより、ネットワーク環境情報のインタラクションがないのでＵＥのエネルギーを浪費してしまう。
【０００８】
従って、関連技術においてＵＥのネットワーク環境情報のインタラクションが存在しないので、ＵＥが業務操作を行う時にエネルギー及びネットワークリソースを浪費してしまう。
【０００９】
本発明は、少なくとも、関連技術においてＵＥのネットワーク環境情報のインタラクションがないので、ＵＥが業務操作を行う時にＵＥのエネルギー及びネットワークリソースを浪費してしまう問題を解決できる情報インタラクション、オフロード処理方法、装置、基地局、無線ネットワークコントローラＲＮＣ及び端末を提供する。
【課題を解決するための手段】
【００１０】
本発明の一態様によると、端末がハンドオーバー（ｈａｎｄｏｖｅｒ）されるターゲット側エレメントが、ソース側エレメントから送信された無線ローカルエリアネットワークＷＬＡＮ補助情報、オフロードルール情報、ＷＬＡＮ測定レポート情報、オフロード決定情報、ＷＬＡＮとの相互動作（ｉｎｔｅｒｏｐｅｒａｔｉｏｎ）を支援する能力指示情報の中の少なくとも一つのソース側情報を受信すること、及び／又は、前記ターゲット側エレメントが前記ソース側エレメントに、ＷＬＡＮ補助情報、負荷情報、オフロードルール情報、測定コンフィグレーション情報、オフロード決定情報、ＷＬＡＮとの相互動作を支援する能力指示情報の中の少なくとも一つのターゲット側情報を送信すること、を含む情報インタラクション（ｉｎｔｅｒａｃｔｉｏｎ）処理方法を提供する。
【００１１】
前記ＷＬＡＮ補助情報は、セルカバー範囲内のＷＬＡＮリスト情報、無線アクセスネットワークＲＡＮがＵＥに提供可能な最大リソース割当、ＷＬＡＮ閾値情報、ＲＡＮ閾値情報の中の少なくとも一つを含むことが好ましい。
【００１２】
前記オフロードルール情報は、ＲＡＮとアクセスネットワーク発見及び選択機能エンティティＡＮＤＳＦとの間の情報の優先度、ＷＬＡＮとＲＡＮとの間の選択優先度、ＷＬＡＮ閾値使用方法、ＲＡＮ閾値使用方法の中の少なくとも一つを含むことが好ましい。
【００１３】
前記ＷＬＡＮ測定レポート情報は、端末により測定されたＷＬＡＮの信号品質、端末により測定されたＷＬＡＮの信号強度、端末により測定されたＷＬＡＮの負荷、端末により測定されたＷＡＮ指標の中の少なくとも一つを含むことが好ましい。
【００１４】
前記オフロード決定情報は、ＲＡＮからＷＬＡＮへのオフロードの実行を端末に指示する情報、ＷＬＡＮからＲＡＮへのオフロードの実行を端末に指示する情報、端末のＲＡＮでの業務の一部をＷＬＡＮにオフロード、端末のＲＡＮでの業務の全部をＷＬＡＮにオフロード、端末のＷＬＡＮでの業務の一部をＲＡＮにオフロード、端末のＷＬＡＮでの業務の全部をＲＡＮにオフロード、端末のＲＡＮでのベアラの一部をＷＬＡＮにオフロード、端末のＲＡＮでのベアラの全部をＷＬＡＮにオフロード、端末のＷＬＡＮでのベアラの一部をＲＡＮにオフロード、端末のＷＬＡＮでのベアラの全部をＲＡＮにオフロードの中の少なくとも一つを含むことが好ましい。
【００１５】
前記測定コンフィグレーション（ｃｏｎｆｉｇｕｒａｔｉｏｎ）情報は、測定レポートのトリガーイベント情報、選択候補の測定ＷＬＡＮ識別（ｉｄｅｎｔｉｆｉｃａｔｉｏｎ）情報、測定レポート報知周期情報、測定レポートのコンテンツ範囲情報の中の少なくとも一つを含むことが好ましい。
【００１６】
端末がハンドオーバーされるターゲット側エレメントが、Ｘ２インターフェースシグナル（ｓｉｇｎａｌｌｉｎｇ）、Ｓ１インターフェースシグナル、Ｉｕｒインターフェースシグナル、移動管理エンティティＭＭＥにより転送する方式、サービング汎用パケット無線サービスサポートノードＳＧＳＮにより転送する方式、前記ＭＭＥと前記ＳＧＳＮにより転送する方式、前記ＳＧＳＮと前記ＭＭＥにより転送する方式の中の少なくとも一つの方式で、ソース側エレメントから送信されたソース側情報を受信し、及び／又は、前記ターゲット側エレメントが、Ｘ２インターフェースシグナル、Ｓ１インターフェースシグナル、Ｉｕｒインターフェースシグナル、移動管理エンティティＭＭＥにより転送する方式、サービング汎用パケット無線サービスサポートノードＳＧＳＮにより転送する方式、前記ＳＧＳＮと前記ＭＭＥにより転送する方式、前記ＭＭＥと前記ＳＧＳＮにより転送する方式の中の少なくとも一つの方式で、前記ソース側エレメントにターゲット側情報を送信することが好ましい。
【００１７】
本発明の他の一態様によると、端末が、ハンドオーバーされるターゲット側エレメントから送信されたＷＬＡＮ補助情報、負荷情報、オフロードルール情報、測定コンフィグレーション情報、オフロード決定情報の中の少なくとも一つのターゲット側情報を受信することと、前記端末が前記ターゲット側情報の中の少なくとも一つに基づいてオフロード処理を実行することと、を含むオフロード（ｏｆｆｌｏａｄ）処理方法を提供する。
【００１８】
前記端末が前記ターゲット側情報に基づいてオフロード処理を実行することは、前記ＷＬＡＮ補助情報と前記ＷＬＡＮ測定コンフィグレーション情報との中の少なくとも一つの前記ターゲット側情報に基づいてＷＬＡＮ測定を行うことと、前記ＷＬＡＮ補助情報と前記ＷＬＡＮ測定コンフィグレーション情報の中の少なくとも一つの前記ターゲット側情報に基づいて測定レポートを報知することと、前記ＷＬＡＮ補助情報、前記負荷情報、前記オフロードルール情報の中の少なくとも一つの前記ターゲット側情報に基づいてオフロード決定を確定することと、確定された前記オフロード決定に基づいてオフロードすることの中の少なくとも一つを含むことが好ましい。
【００１９】
本発明の他の一態様によると、端末がハンドオーバーされるターゲット側エレメントがソース側エレメントから送信された無線ローカルエリアネットワークＷＬＡＮ補助情報、オフロードルール情報、ＷＬＡＮ測定レポート情報、オフロード決定情報、ＷＬＡＮとの相互動作を支援する能力指示情報の中の少なくとも一つのソース側情報を受信するように構成されている第１の受信モジュール、及び／又は、前記ターゲット側エレメントが前記ソース側エレメントに、ＷＬＡＮ補助情報、負荷情報、オフロードルール情報、測定コンフィグレーション情報、オフロード決定情報、ＷＬＡＮとの相互動作を支援する能力指示情報の中の少なくとも一つのターゲット側情報を送信するように構成されている送信モジュール、を含む情報インタラクション処理装置を提供する。
【００２０】
本発明の他の一態様によると、上記した情報インタラクション処理装置を含む基地局を提供する。
【００２１】
本発明の他の一態様によると、上記した情報インタラクション処理装置を含む無線ネットワークコントローラＲＮＣを提供する。
【００２２】
本発明の他の一態様によると、端末が、ハンドオーバーされるターゲット側エレメントから送信されたＷＬＡＮ補助情報、負荷情報、オフロードルール情報、測定コンフィグレーション情報、オフロード決定情報の中の少なくとも一つのターゲット側情報を受信するように構成されている第２の受信モジュールと、前記端末が前記ターゲット側情報の中の少なくとも一つに基づいてオフロード処理を実行するように構成されている実行モジュールと、を含むオフロード処理装置を提供する。
【００２３】
前記実行モジュールは、前記ＷＬＡＮ補助情報と前記ＷＬＡＮ測定コンフィグレーション情報の中の少なくとも一つのターゲット側情報に基づいてＷＬＡＮ測定を行うように構成されている測定ユニットと、前記ＷＬＡＮ補助情報と前記ＷＬＡＮ測定コンフィグレーション情報の中の少なくとも一つのターゲット側情報に基づいて測定レポートを報知するように構成されている報知ユニットと、前記ＷＬＡＮ補助情報、前記負荷情報、前記オフロードルール情報の中の少なくとも一つのターゲット側情報に基づいてオフロード決定を確定するように構成されている確定ユニットと、確定された前記オフロード決定に基づいてオフロードするように構成されているオフロードユニットの中の少なくとも一つを含むことが好ましい。
【００２４】
本発明の他の一態様によると、上記したいずれかのオフロード処理装置を含む端末を提供する。
【発明の効果】
【００２５】
本発明によれば、端末がハンドオーバーされるターゲット側エレメントがソース側エレメントから送信された無線ローカルエリアネットワークＷＬＡＮ補助情報、オフロードルール情報、ＷＬＡＮ測定レポート情報、オフロード決定情報、ＷＬＡＮとの相互動作を支援する能力指示情報の中の少なくとも一つのソース側情報を受信すること、及び／又は、前記ターゲット側エレメントが前記ソース側エレメントに、ＷＬＡＮ補助情報、負荷情報、オフロードルール情報、測定コンフィグレーション情報、オフロード決定情報、ＷＬＡＮとの相互動作を支援する能力指示情報の中の少なくとも一つのターゲット側情報を送信することによって、関連技術においてＵＥのネットワーク環境情報のインタラクションがないので、ＵＥが業務操作を行う時にＵＥエネルギー及びネットワークリソースを浪費してしまう問題を解決し、さらにＵＥエネルギー及びネットワークリソースを節約する効果を実現する。
【図面の簡単な説明】
【００２６】
ここで説明する図面は本発明を理解させるためのもので、本発明の一部を構成し、本発明に示す実施例及びその説明は本発明を解釈するもので、本発明を不当に限定するものではない。
【図１】関連技術におけるネットワークインタワーキングプロトコルのアーキテクチャを示す図である。
【図２】関連技術のハンドオーバープロセスにおける３ＧＰＰアクセスネットワークとＷＬＡＮネットワークとの間のオフロード状況を示す図である。
【図３】本発明の実施例に係る情報インタラクション処理方法を示すフローチャートである。
【図４】本発明の実施例に係るオフロード処理方法を示すフローチャートである。
【図５】本発明の実施例に係る情報インタラクション処理装置の構成を示すブロック図である。
【図６】本発明の実施例に係る基地局の構成を示すブロック図である。
【図７】本発明の実施例に係る無線ネットワーク制御ＲＮＣの構成を示すブロック図である。
【図８】本発明の実施例に係るオフロード処理装置の構成を示すブロック図である。
【図９】本発明の実施例に係るオフロード処理装置における実行モジュール８４の好適な構成を示すブロック図である。
【図１０】本発明の実施例に係る端末の構成を示すブロック図である。
【図１１】本発明の好適な実施形態１に係るフローチャートである。
【図１２】本発明の好適な実施形態２に係るフローチャートである。
【図１３】本発明の好適な実施形態３に係るフローチャートである。
【発明を実施するための形態】
【００２７】
以下、図面を参照しつつ実施例を結合して本発明を詳しく説明する。ここで、衝突しない限り、本願の実施例及び実施例中の特徴を互いに組み合わせることができる。
【００２８】
本実施例において情報インタラクション処理方法を提供し、図３は本発明の実施例に係る情報インタラクション処理方法を示すフローチャートで、図３に示すように、そのプロセスは、
端末ＵＥがハンドオーバーされるターゲット側エレメントがソース側エレメントから送信された、ソース側情報である無線ローカルエリアネットワークＷＬＡＮ補助情報、オフロードルール情報、ＷＬＡＮ測定レポート情報、オフロード決定情報、ＷＬＡＮとの相互動作を支援する能力指示情報の中の少なくとも一つを受信すること（ステップＳ３０２）、及び／又は、
該ターゲット側エレメントが上記ソース側エレメントへ、ターゲット側情報であるＷＬＡＮ補助情報、負荷情報、オフロードルール情報、測定コンフィグレーション情報、オフロード決定情報、ＷＬＡＮとの相互動作を支援する能力指示情報の中の少なくとも一つを送信すること（ステップＳ３０４）を含む。
【００２９】
上記ステップによると、ソース側がターゲット側へＵＥソース側ネットワーク環境情報（即ち、ソース側情報）を送信し、ターゲット側がソース側へターゲット側ネットワーク環境情報（即ち、ターゲット側情報）を送信することで、ＵＥネットワーク環境情報のインタラクションを実現し、ＵＥによる無用な操作を回避し、関連技術においてＵＥのネットワーク環境情報のインタラクションがないのでＵＥが業務操作を行う際にＵＥエネルギー及びネットワークリソースを浪費してしまう問題を解決し、ＵＥエネルギー及びネットワークリソースを節約し、ユーザ体験を向上させる効果を実現できる。
【００３０】
ここで、上記ＷＬＡＮ補助情報は、セルのカバー範囲内のＷＬＡＮリスト情報、無線アクセスネットワーク（Ｒａｄｉｏ  Ａｃｃｅｓｓ  Ｎｅｔｗｏｒｋ、ＲＡＮと略称）がＵＥに提供可能な最大リソース割当、ＷＬＡＮ閾値情報、ＲＡＮ閾値情報の中の少なくとも一つを含むことができる。上記オフロードルール情報は、ＲＡＮとアクセスネットワーク発見及び選択機能エンティティＡＮＤＳＦとの間の情報の優先度、ＷＬＡＮとＲＡＮとの間の選択優先度、ＷＬＡＮ閾値使用方法、ＲＡＮ閾値使用方法の中の少なくとも一つを含むことができる。上記ＷＬＡＮ測定レポート情報は、端末が測定したＷＬＡＮの信号品質、端末が測定したＷＬＡＮの信号強度、端末が測定したＷＬＡＮの負荷、端末が測定した広域ネットワーク（Ｗｉｄｅ  Ａｒｅａ  Ｎｅｔｗｏｒｋ、ＷＡＮと略称）指標の中の少なくとも一つを含むことができる。
【００３１】
上記オフロード決定情報は、ＲＡＮからＷＬＡＮへのオフロードの実行を端末に指示する情報、ＷＬＡＮからＲＡＮへのオフロードの実行を端末に指示する情報、端末のＲＡＮでの業務の一部をＷＬＡＮにオフロード、端末のＲＡＮでの業務の全部をＷＬＡＮにオフロード、端末のＷＬＡＮでの業務の一部をＲＡＮにオフロード、端末のＷＬＡＮでの業務の全部をＲＡＮにオフロード、端末のＲＡＮでのベアラの一部をＷＬＡＮにオフロード、端末のＲＡＮでのベアラの全部をＷＬＡＮにオフロード、端末のＷＬＡＮでのベアラの一部をＲＡＮにオフロード、端末のＷＬＡＮでのベアラの全部をＲＡＮにオフロードの中の少なくとも一つを含むことが好ましい。
【００３２】
測定コンフィグレーション（ｃｏｎｆｉｇｕｒａｔｉｏｎ）情報は、測定レポートのトリガーイベント情報、選択候補の測定ＷＬＡＮ識別情報、測定レポート報知周期情報、測定レポートのコンテンツ範囲情報の中の少なくとも一つを含むことが好ましい。
【００３３】
好ましくは、端末がハンドオーバーされるターゲット側エレメントは、Ｘ２インターフェースシグナル、Ｓ１インターフェースシグナル、Ｉｕｒインターフェースシグナル、移動管理エンティティＭＭＥが転送する方式、サービング汎用パケット無線サービスサポートノードＳＧＳＮが転送する方式、ＭＭＥとＳＧＳＮが転送する方式、ＳＧＳＮとＭＭＥが転送する方式の中の少なくとも一つによって、ソース側エレメントからのソース側情報を受信する、及び／又は、ターゲット側エレメントは、Ｘ２インターフェースシグナル、Ｓ１インターフェースシグナル、Ｉｕｒインターフェースシグナル、移動管理エンティティＭＭＥが転送する方式、サービング汎用パケット無線サービスサポートノードＳＧＳＮが転送する方式、ＳＧＳＮとＭＭＥが転送する方式、ＭＭＥとＳＧＳＮが転送する方式の中の少なくとも一つによって、ソース側エレメントにターゲット側情報を送信する。
【００３４】
本実施例においてさらにオフロード処理方法を提供し、図４は本発明の実施例に係るオフロード処理方法を示すフローチャートで、図４に示すように、該プロセスは、
端末が、端末がハンドオーバーされるターゲット側エレメントから送信された、ターゲット側情報であるＷＬＡＮ補助情報、負荷情報、オフロードルール情報、測定コンフィグレーション情報、オフロード決定情報の中の少なくとも一つを受信すること（ステップＳ４０２）と、
端末が上記ターゲット側情報の中の少なくとも一つに基づいてオフロード処理を実行すること（ステップＳ４０４）と、を含む。
【００３５】
上記ステップによって、端末はターゲット側のネットワーク環境情報（即ち、ターゲット側情報）を受信することができ、関連技術において、ネットワーク環境情報のインタラクションを行わず、オフロード処理を行う際に、ハンドオーバーされるターゲット側のネットワーク環境を評価できないので、オフロード処理が不合理であるか又は正確なハンドオーバーを行うことができない問題が存在することに対し、端末は取得したターゲット側情報に基づいて、ネットワーク環境情報のインタラクションを有効に実現し、関連技術においてＵＥのネットワーク環境情報のインタラクションがないため、ＵＥが業務操作を行う時にＵＥエネルギー及びネットワークリソースを浪費してしまう問題を解決し、ＵＥエネルギー及びネットワークリソースを節約し、ユーザ体験を向上させる効果を実現できる。
【００３６】
端末が上記ターゲット側情報に基づいてオフロード処理を実行することは、さまざまな内容を含むことが好ましく、例えば、ＷＬＡＮ補助情報とＷＬＡＮ測定コンフィグレーション情報の中の少なくとも一つのターゲット側情報に基づいてＷＬＡＮ測定を行うことと、ＷＬＡＮ補助情報とＷＬＡＮ測定コンフィグレーション情報の中の少なくとも一つのターゲット側情報に基づいて測定レポートを報知することと、ＷＬＡＮ補助情報、負荷情報、オフロードルール情報の中の少なくとも一つのターゲット側情報に基づいてオフロード決定を確定することと、確定されたオフロード決定に基づいてオフロードすることの中の少なくとも一つを含むことができる。
【００３７】
本実施例においてさらに情報インタラクション処理装置及びオフロード処理装置を提供し、該装置は上述した実施例及び好適な実施形態を実現するためのものであり、既に説明した部分の説明は省略する。以下の説明で使用される用語「モジュール」は所定の機能を実現することのできるソフトウェア及び／又はハードウェアの組み合わせである。以下の実施例で説明する装置をソフトウェアで実現することが好ましいが、ハードウェア又はソフトウェアとハードウェアの組み合わせで実現することも可能であり、考えられている。
【００３８】
図５は本発明の実施例に係る情報インタラクション処理装置の構成を示すブロック図で、図５に示すように、該装置は第１の受信モジュール５２及び／又は送信モジュール５４を含み、以下、該装置を説明する。
【００３９】
第１の受信モジュール５２は、端末がハンドオーバーされるターゲット側エレメントがソース側エレメントから送信された無線ローカルエリアネットワークＷＬＡＮ補助情報、オフロードルール情報、ＷＬＡＮ測定レポート情報、オフロード決定情報、ＷＬＡＮとの相互動作を支援する能力指示情報の中の少なくとも一つのソース側情報を受信するように構成され、
送信モジュール５４は、ターゲット側エレメントがソース側エレメントへ、ＷＬＡＮ補助情報、負荷情報、オフロードルール情報、測定コンフィグレーション情報、オフロード決定情報、ＷＬＡＮとの相互動作を支援する能力指示の中の少なくとも一つのターゲット側情報を送信するように構成されている。
【００４０】
図６は本発明の実施例に係る基地局の構成を示すブロック図で、図６に示すように、該基地局６０は上記情報インタラクション処理装置６２を含む。
【００４１】
図７は本発明の実施例に係る無線ネットワーク制御ＲＮＣの構成を示すブロック図で、図７に示すように、該無線ネットワークコントローラＲＮＣ７０は上記情報インタラクション処理装置６２を含む。
【００４２】
図８は本発明の実施例に係るオフロード処理装置の構成を示すブロック図で、図８に示すように、該装置は第２の受信モジュール８２と、実行モジュール８４とを含み、以下、該装置を説明する。
【００４３】
第２の受信モジュール８２は、端末が、端末がハンドオーバーされるターゲット側エレメントから送信されたＷＬＡＮ補助情報、負荷情報、オフロードルール情報、測定コンフィグレーション情報、オフロード決定情報の中の少なくとも一つのターゲット側情報を受信するように構成され、
実行モジュール８４は、上記第２の受信モジュール８２に接続され、端末がターゲット側情報の中の少なくとも一つに基づいてオフロード処理を実行するように構成されている。
【００４４】
図９は本発明の実施例に係るオフロード処理装置における実行モジュール８４の好適な構成を示すブロック図で、図９に示すように、該実行モジュール８４は、測定ユニット９２、報知ユニット９４、確定ユニット９６、オフロードユニット９８の中の少なくとも一つを含み、以下、該実行モジュール８４を説明する。
【００４５】
測定ユニット９２は、ＷＬＡＮ補助情報とＷＬＡＮ測定コンフィグレーション情報の中の少なくとも一つのターゲット側情報に基づいてＷＬＡＮ測定を実行するように構成され、報知ユニット９４は、ＷＬＡＮ補助情報とＷＬＡＮ測定コンフィグレーション情報の中の少なくとも一つのターゲット側情報に基づいて測定レポートを報知するように構成され、確定ユニット９６は、ＷＬＡＮ補助情報、負荷情報、オフロードルール情報の中の少なくとも一つのターゲット側情報に基づいてオフロード決定を確定するように構成され、オフロードユニット９８は、確定されたオフロード決定に基づいてオフロードするように構成されている。
【００４６】
本実施例においてさらに端末を提供し、図１０は本発明の実施例に係る端末の構成を示すブロック図で、図１０に示すように、該端末１００は上述したいずれかのオフロード処理装置１０２を含む。
【００４７】
関連技術のハンドオーバープロセスにおいて、３ＧＰＰアクセスネットワークとＷＬＡＮネットワークとの間でオフロードすることでリソースを浪費する恐れがあることに対し、本実施例においてハンドオーバー処理方法を提供し、該ハンドオーバー処理方法は、ソース基地局又はソースＲＮＣ（例えば、上記ソース側）がハンドオーバー用意プロセスで、ＷＬＡＮ補助情報、オフロードルール、端末により報知されたＷＬＡＮに関する測定レポート、オフロード決定、ＷＬＡＮとの相互動作を支援する能力指示の中の少なくとも一つのソースセル情報をターゲット基地局又はターゲットＲＮＣ（ターゲット側）に送信することと、ターゲット基地局又はターゲットＲＮＣがソース基地局又はソースＲＮＣに、ターゲットセルのＷＬＡＮ補助情報、ターゲット側の負荷情報、オフロードルール、測定コンフィグレーション（ｍｅａｓｕｒｅｍｅｎｔ  ｃｏｎｆｉｇｕｒａｔｉｏｎ）、オフロード決定、ＷＬＡＮとの相互動作を支援する能力指示の中の少なくとも一つの情報を応答することと、を含む。
【００４８】
ここで、上記ＷＬＡＮ補助情報は、セルカバー範囲内のＷＬＡＮリスト、ＲＡＮ側がＵＥに提供可能な最大リソース割当、ＷＬＡＮ閾値、ＲＡＮ閾値の中の少なくとも一つを含むことができる。
【００４９】
上記オフロードルールは、ＲＡＮ側とＡＮＤＳＦとの間の情報の優先度、ＷＬＡＮとＲＡＮの選択優先度、ネットワーク側により定められたＷＬＡＮ閾値使用方法、ネットワーク側により定められたＲＡＮ閾値使用方法の中の少なくとも一つを含むことができる。
【００５０】
上記端末により報知されたＷＬＡＮに関する測定レポートは、端末により測定されたＷＬＡＮの信号品質及び／又は信号強度、端末により測定されたＷＬＡＮの負荷、端末により測定されたＷＡＮ指標の中の少なくとも一つを含むことができる。
【００５１】
上記オフロード決定は、ＲＡＮからＷＬＡＮへのオフロードの実行をＵＥに指示する情報、ＷＬＡＮからＲＡＮへのオフロードの実行をＵＥに指示する情報、ＵＥのＲＡＮでの業務又はベアラの一部又は全部をＷＬＡＮにオフロード、ＵＥのＷＬＡＮでの業務又はベアラの一部又は全部をＲＡＮにオフロードの中の少なくとも一つを含むことができる。
【００５２】
上記測定コンフィグレーションは、測定レポートのトリガーイベント、選択候補の測定ＷＬＡＮ識別子、測定レポート報知周期、測定レポートのコンテンツ範囲の中の少なくとも一つを含むことができる。
【００５３】
ソース基地局又はソースＲＮＣはターゲット側の応答を受信した後、ターゲット側の応答コンテンツを端末に送信することが好ましい。
【００５４】
端末は、ターゲット側のＷＬＡＮ補助情報及び／又はＷＬＡＮ測定コンフィグレーションに基づいて、ＷＬＡＮ測定及び測定レポートの報知を行うことが好ましい。
【００５５】
端末は、ターゲット側のＷＬＡＮ補助情報及び／又は負荷情報及び／又はオフロードルールに基づいて、オフロード決定を確定することが好ましい。
【００５６】
端末は、ターゲット側のオフロード決定に基づいてオフロードを行うことが好ましい。
【００５７】
なお、ソース側がソース側情報をターゲット側へ送信する方式はさまざまであって、同様に、ターゲット側がターゲット側情報をソース側へ送信する方式もさまざまで、以下、好適な方式を説明する。
【００５８】
例えば、ソース基地局は、Ｘ２インターフェースシグナル、Ｓ１シグナル、ＭＭＥにより転送する方式の中の少なくとも一つによって、ソース側のＷＬＡＮ補助情報、オフロードルール、端末により報知されたＷＬＡＮに関する測定レポート、オフロード決定、ＷＬＡＮとの相互動作を支援する能力指示の中の少なくとも一つのソース側情報をターゲット基地局に送信することができる。
【００５９】
同様に、ターゲット基地局も、Ｘ２インターフェースシグナル、Ｓ１シグナル、ＭＭＥにより転送する方式の中の少なくとも一つによって、ターゲット側のＷＬＡＮ補助情報、ターゲット側の負荷情報、オフロードルール、測定コンフィグレーション、オフロード決定、ＷＬＡＮとの相互動作を支援する能力指示の中の少なくとも一つのターゲット側情報をソース基地局へ応答することができる。
【００６０】
そして、例えば、ソースＲＮＣは、Ｉｕｒインターフェースシグナル、ＳＧＳＮにより転送する方式で、ソース側のＷＬＡＮ補助情報、オフロードルール、端末により報知されたＷＬＡＮに関する測定レポート、オフロード決定、ＷＬＡＮとの相互動作を支援する能力指示の中の少なくとも一つのソース側情報をターゲットＲＮＣに送信することができる。
【００６１】
同様に、ターゲットＲＮＣも、Ｉｕｒインターフェースシグナル、ＳＧＳＮにより転送する方式で、ＷＬＡＮ補助情報、ターゲット側の負荷情報、オフロードルール、測定コンフィグレーション、オフロード決定、ＷＬＡＮとの相互動作を支援する能力指示の中の少なくとも一つのターゲット側情報をソースＲＮＣに応答することができる。
【００６２】
また、例えば、ソース基地局は、ＭＭＥとＳＧＳＮにより転送する方式で、ＷＬＡＮ補助情報、オフロードルール、端末により報知されたＷＬＡＮに関する測定レポート、オフロード決定、ＷＬＡＮとの相互動作を支援する能力指示の中の少なくとも一つのソース側情報をターゲットＲＮＣに送信することができる。
【００６３】
同様に、ターゲットＲＮＣも、ＳＧＳＮとＭＭＥにより転送する方式で、ＷＬＡＮ補助情報、ターゲット側の負荷情報、オフロードルール、測定コンフィグレーション、オフロード決定、ＷＬＡＮとの相互動作を支援する能力指示の中の少なくとも一つのターゲット側情報をソース基地局へ応答することができる。
【００６４】
さらに、例えば、ソースＲＮＣは、ＳＧＳＮとＭＭＥにより転送する方式で、ＷＬＡＮ補助情報、オフロードルール、端末により報知されたＷＬＡＮに関する測定レポート、オフロード決定、ＷＬＡＮとの相互動作を支援する能力指示の中の少なくとも一つのソースセル情報をターゲット基地局に送信することができる。
【００６５】
同様に、ターゲット基地局も、ＭＭＥとＳＧＳＮにより転送する方式で、ＷＬＡＮ補助情報、ターゲット側の負荷情報、オフロードルール、測定コンフィグレーション、オフロード決定、ＷＬＡＮとの相互動作を支援する能力指示の中の少なくとも一つのターゲット側情報をソースＲＮＣへ応答することができる。
【００６６】
以下、図面を結合して本発明の好適な実施形態を説明する。
【００６７】
図１１は本発明の好適な実施形態１に係るフローチャートで、図１１に示すように、該プロセスは以下のステップを含む：
ＵＥがソース側に測定レポートを送信する（Ｓ１１０２）。
【００６８】
関連技術において、ＲＡＮ側は、サービングセル及び隣接セルとＵＥとの間のリンク品質をモニタリングするために、ＵＥに測定を配置し、隣接セルの方がサービングセルよりＵＥへのサービスの提供に適することがモニタリングされると、ソース側はＵＥにハンドオーバーを配置する。測定レポートは、ＲＡＮ側がＵＥにハンドオーバーを行うか否かを判定する際の重要な依拠である。
【００６９】
ここで、上記測定レポートは、イベントによりトリガーされる測定レポートであってもよいし、周期的にトリガーされる測定レポートであってもよく、また、３ＧＰＰシステムの既存のネットワークにサポートされる測定レポートである。
【００７０】
ソース側が、ターゲット側にＷＬＡＮ補助情報を送信する（Ｓ１１０４）。
【００７１】
ＲＡＮ側が進化型ユニバーサル陸上無線アクセスネットワーク（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ、ＥＵＴＲＡＮと略称）である場合、ソース側及び／又はターゲット側とは進化型基地局ｅＮＢを指し、ＲＡＮ側がユニバーサル移動通信システム無線アクセスネットワーク（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ  Ｒａｄｉｏ  Ａｃｃｅｓｓ  Ｎｅｔｗｏｒｋ、ＵＴＲＡＮと略称）である場合、ソース側及び／又はターゲット側とは無線ネットワークコントローラ（Ｒａｄｉｏ  Ｎｅｔｗｏｒｋ  Ｃｏｎｔｒｏｌｌｅｒ、ＲＮＣと略称）を指す。
【００７２】
ソース側がＵＥから送信された測定レポートを受信し、ＵＥがこの時ハンドオーバーされるべきであると判定した場合、ソース側はＵＥに適するターゲットセルを探し、ターゲット側にハンドオーバー要求メッセージ（Ｈａｎｄｏｖｅｒ  Ｒｅｑｕｅｓｔ）又は再位置決め要求メッセージ（Ｒｅｌｏｃａｔｉｏｎ  Ｒｅｑｕｅｓｔ）を送信し、ソース側はハンドオーバー要求メッセージ又は再位置決め要求メッセージにソースセルのＷＬＡＮ補助情報を含ませることができる。
【００７３】
該ＷＬＡＮ補助情報は、セルカバー範囲内のＷＬＡＮリスト、ＲＡＮ側がＵＥに提供可能な最大リソース割当、ＷＬＡＮ閾値、ＲＡＮ閾値の中の少なくとも一つを含むことができる。
【００７４】
ここで、セルカバー範囲内のＷＬＡＮリストは、少なくともＷＬＡＮの識別子を含み、ＷＬＡＮの周波数情報等を含むこともできる。
【００７５】
ＲＡＮ側がＵＥに提供可能な最大リソース割当とは、ＬＴＥ／ＵＭＴＳのＲＡＮ側がＵＥに提供可能な最大なリソース割当を指し、リソースブロック（ＲＢ）又は伝送レート等のパラメーターで表すことができる。
【００７６】
該ＷＬＡＮ閾値はＷＬＡＮの信号閾値又はＷＬＡＮのｌｏａｄ（負荷）閾値等であることができ、例えば、ＡＮＤＳＦからＵＥに送信されるオフロードルールには、ＷＬＡＮ信号がＷＬＡＮの信号閾値より高い及び／又はＷＬＡＮのｌｏａｄがＷＬＡＮのｌｏａｄ閾値より低いと、ＲＡＮの業務又はベアラをＷＬＡＮにオフロードし、ＷＬＡＮ信号がＷＬＡＮの信号閾値より低い及び／又はＷＬＡＮのｌｏａｄがＷＬＡＮのｌｏａｄ閾値より高いと、ＷＬＡＮの業務又はベアラをＲＡＮにオフロードすることが含まれ、ＲＡＮ側は具体的な閾値を設定することができる。
【００７７】
ＲＡＮ閾値はＲＡＮの信号閾値及び／又はＲＡＮのｌｏａｄ閾値等であることができ、例えば、ＡＮＤＳＦからＵＥに送信されるオフロードルールには、ＲＡＮの信号がＲＡＮの信号閾値より低く及び／又はＲＡＮのｌｏａｄがＲＡＮのｌｏａｄ閾値より高く、且つＷＬＡＮの信号がＷＬＡＮの信号閾値より高いと、ＲＡＮの業務又はベアラをＷＬＡＮにオフロードすることが含まれ、ＲＡＮ側は具体的な閾値を設定することができる。
【００７８】
ソース側は、Ｘ２インターフェースシグナル、Ｓ１シグナル、ＭＭＥにより転送する方式、Ｉｕｒインターフェースシグナル、ＳＧＳＮにより転送する方式、ＭＭＥとＳＧＳＮにより転送する方式の中の少なくとも一つによって、ターゲット側にＷＬＡＮ補助情報を送信することが好ましい。
【００７９】
ターゲット側がソース側にＷＬＡＮ補助情報及び／又は負荷情報を送信する（Ｓ１１０６）。
【００８０】
ターゲット側はソース側から送信されたＷＬＡＮ補助情報を受信し、ハンドオーバー要求確認メッセージ（Ｈａｎｄｏｖｅｒ  Ｒｅｑｕｅｓｔ  Ａｃｋｎｏｗｌｅｄｇｅ）又は再位置決め要求確認メッセージ（Ｒｅｌｏｃａｔｉｏｎ  Ｒｅｑｕｅｓｔ  Ａｃｋｎｏｗｌｅｄｇｅ）を介して、ソース側にターゲットセルのＷＬＡＮ補助情報及び／又は負荷情報を送信し、ターゲット側はソース側から送信されたＷＬＡＮ補助情報を受信した後、ソース側が３ＧＰＰとＷＬＡＮとの相互動作機能を支援することを把握でき、ターゲットセルのＷＬＡＮ補助情報及び／又は負荷情報をソース側に送信し、ソース側がさらに多いターゲット側に関する情報を取得して適切なハンドオーバー決定を下すようにサポートする。
【００８１】
ターゲット側は、Ｘ２インターフェースシグナル、Ｓ１シグナル、ＭＭＥにより転送する方式、Ｉｕｒインターフェースシグナル、ＳＧＳＮにより転送する方式、ＳＧＳＮとＭＭＥにより転送する方式の中の少なくいとも一つによって、ターゲット側にＷＬＡＮ補助情報及び／又は負荷情報を送信することが好ましい。
【００８２】
ソース側が、ＵＥにターゲット側のＷＬＡＮ補助情報及び／又は負荷情報を転送する（Ｓ１１０８）。
【００８３】
ソース側は、ハンドオーバー命令メッセージにターゲット側のＷＬＡＮ補助情報及び／又は負荷情報を含ませてＵＥに転送することができる。ＵＥが一層合理的なオフロード決定を下すように、ＵＥにターゲット側の情報を事前に提供する。
【００８４】
ＵＥが、ターゲット側の情報に基づいて、ＷＬＡＮ測定及び／又はオフロード決定を行う（Ｓ１１１０）。
【００８５】
ＵＥは、ターゲット側のＷＬＡＮ補助情報及び／又は負荷情報を受信した後、ソース側のＷＬＡＮ補助情報に基づくＷＬＡＮ測定を停止し、ターゲット側のＷＬＡＮ補助情報に基づいて測定を行うことができ、ターゲット側のＷＬＡＮ補助情報及び／又は負荷情報に基づいてオフロード決定を下すことができる。ＵＥがすぐにソース側との接続を中断するので、ターゲット側の情報がさらに合理的に使用される。
【００８６】
図１２は本発明の好適な実施形態２に係るフローチャートで、図１２に示すように、該プロセスは以下のステップを含む。
【００８７】
（上記ステップＳ１１０２と同様）、ＵＥがソース側に測定レポートを送信する（Ｓ１２０２）。
【００８８】
ソース側がターゲット側にＷＬＡＮ補助情報及び／又はオフロードルールを送信する（Ｓ１２０４）。
【００８９】
ここで、ＷＬＡＮ補助情報は上述したものと同じであるので、ここでは説明を省略する。
【００９０】
オフロードルールは、ＲＡＮ側とＡＮＤＳＦとの間の情報の優先度、ＷＬＡＮとＲＡＮの選択優先度、ネットワーク側により定められたＷＬＡＮ閾値使用方法、ネットワーク側により定められたＲＡＮ閾値使用方法の中の少なくとも一つを含むことができる。
【００９１】
コアネットワーク側のエレメントＡＮＤＳＦは、ＵＥにアクセスネットワーク発見情報（Ａｃｃｅｓｓ  Ｎｅｔｗｏｒｋ  Ｄｉｓｃｏｖｅｒｙ  Ｉｎｆｏｒｍａｔｉｏｎ）を提供することができ、ＡＮＤＳＦにより提供されるアクセスネットワーク発見情報はアクセスネットワークリストで、アクセスネットワークタイプと無線アクセスネットワーク識別子、及び例えば搬送波周波数のような情報や有効性条件などの他の具体的なアクセス技術情報を含む。ＵＥが要求を送信すると、ＡＮＤＳＦはＵＥにより要求された全ての、アクセス技術タイプに関する利用可能なアクセスネットワークリストを提供することができる。ＡＮＤＳＦがＵＥに提供するアクセスネットワーク発見情報は例えばＷＬＡＮ、ＷｉＭＡＸ、例えばＷＬＡＮのサービスセット識別子（Ｓｅｒｖｉｃｅ  Ｓｅｔ  Ｉｄｅｎｔｉｆｉｅｒ、ＳＳＩＤと略称）などの無線アクセスネットワーク識別子などのアクセス技術タイプを含み、例えば搬送波周波数のような情報などの他の具体的なアクセス技術情報も提供可能であり、さらに、有効性条件が設定され、提供される一つのアクセスネットワーク発見情報が対応する条件、例えば一つの位置（ｌｏｃａｔｉｏｎ）で有効であることが示される。システム間移動ポリシー（Ｉｎｔｅｒ−Ｓｙｓｔｅｍ  Ｍｏｂｉｌｉｔｙ  Ｐｏｌｉｃｙ、ＩＳＭＰと略称）ＩＳＭＰは異なる無線アクセス技術の優先度と、同じ無線アクセス技術の異なる無線アクセスネットワーク間の優先度と、例えば一つの無線アクセス技術から他の無線アクセス技術への切り替えがどの時間期間で許可されない又はずっと許可されないという内容などの制限情報と、を含む。アクセスネットワーク発見情報は、無線アクセスネットワークの識別子や位置等のＵＥの付近にある無線アクセスネットワークの情報を含む。ＩＳＲＰは、ＵＥが同時に２種類の無線アクセス技術に接続可能である場合、どのインターネットプロトコルフロー（ＩＰ  ｆｌｏｗ）又はＰＤＮ接続にどの種類の無線アクセス技術を用いれば最も理想的であるか、どのＩＰ  ｆｌｏｗ又はＰＤＮ接続にどの種類の無線アクセス技術が使用不可であるか等の内容を含む。システム間ルーティングポリシー（Ｉｎｔｅｒ−Ｓｙｓｔｅｍ  Ｒｏｕｔｉｎｇ  Ｐｏｌｉｃｙ、ＩＳＲＰと略称）は、ＵＥがＩＰルーティングによる複数の無線アクセスインターフェースの同時通過をサポートする場合、ＡＮＤＳＦはＵＥに１セットのＩＳＲＰリストを提供することができ、ＵＥはＩＳＲＰに基づいて、特定のＩＰフロー又は特定のアクセスポイント（Ａｃｃｅｓｓ  Ｐｏｉｎｔ  Ｎａｍｅ、ＡＰＮと略称）についてどの時間範囲内でどのアクセス技術タイプ／アクセスネットワークが制限されるかを決定し、最も適切なアクセス技術タイプ／アクセスネットワーク又はＡＰＮｓを選択し、ＵＥが一定の条件：一つの特定のＡＰＮ又は一つの特定のＩＰフロー又は特定のアプリケーションフィルダールールに合致した後、ＩＰフローのルーティングを行う。
【００９２】
しかし、ＡＮＤＳＦの情報が比較的に静的なもので、実際のＲＡＮ側の負荷状況及び無線リンク条件等が考慮されていないので、ＲＡＮ側はさらに動的な情報を提供することができ、この時、ＵＥが同時にＲＡＮ側とＡＮＤＳＦの情報を受信し、且つ両方が衝突すると、ＵＥはどの情報を利用するべきかを判定することができない。従って、ＲＡＮ側はＲＡＮ側とＡＮＤＳＦの間の情報の優先度を提供することができる。
【００９３】
ＷＬＡＮとＲＡＮの選択優先度とは、ＵＥがアクセスのためにＷＬＡＮ又はＲＡＮを選択する場合の両方の優先度を指し、又はＷＬＡＮ、ＥＵＴＲＡＮ、ＵＴＲＡＮの間の優先度を指す。
【００９４】
ネットワーク側により決められたＷＬＡＮ閾値使用方法とは、ＷＬＡＮ補助情報にてＲＡＮがＵＥにＷＬＡＮ閾値を提供し、ＵＥに具体的に如何に使用するかを知らせることを指し、例えばＷＬＡＮ信号がＷＬＡＮの信号閾値よりも高い及び／又はＷＬＡＮのｌｏａｄがＷＬＡＮのｌｏａｄ閾値よりも低い場合、ＲＡＮの業務又はベアラをＷＬＡＮにオフロードすることができ、或いは、ＷＬＡＮ信号がＷＬＡＮの信号閾値よりも低い及び／又はＷＬＡＮのｌｏａｄがＷＬＡＮのｌｏａｄ閾値よりも高い場合、ＷＬＡＮの業務又はベアラをＲＡＮにオフロードすることができることを知らせる。
【００９５】
ネットワーク側により決めされたＲＡＮ閾値使用方法とは、ＷＬＡＮ補助情報にてＲＡＮがＵＥにＲＡＮ閾値を提供し、ＵＥに具体的に如何に使用するかを知らせることを指し、例えば、ＲＡＮの信号がＲＡＮの信号閾値よりも低く及び／又はＲＡＮのｌｏａｄがＲＡＮのｌｏａｄ閾値よりも高く、且つＷＬＡＮの信号がＷＬＡＮの信号閾値よりも高い場合、ＲＡＮの業務又はベアラをＷＬＡＮにオフロードすることができ、或いは、ＲＡＮの信号がＲＡＮの信号閾値よりも高い及び／又はＲＡＮのｌｏａｄがＲＡＮのｌｏａｄ閾値よりも低い場合、ＷＬＡＮの業務又はベアラをＲＡＮにオフロードすることができることを知らせる。
【００９６】
ソース側は、Ｘ２インターフェースシグナル、Ｓ１シグナル、ＭＭＥにより転送する方式、Ｉｕｒインターフェースシグナル、ＳＧＳＮにより転送する方式、ＭＭＥとＳＧＳＮにより転送する方式の中の少なくとも一つによって、ターゲット側にＷＬＡＮ補助情報及び／又はオフロードポリシーを送信することが好ましい。
【００９７】
ターゲット側がソース側にＷＬＡＮ補助情報、オフロードルール、負荷情報の中の少なくとも一つを送信する（Ｓ１２０６）。
【００９８】
ターゲット側は、Ｘ２インターフェースシグナル、Ｓ１シグナル、ＭＭＥにより転送する方式、Ｉｕｒインターフェースシグナル、ＳＧＳＮにより転送する方式、ＳＧＳＮとＭＭＥにより転送する方式の中の少なくとも一つによって、ターゲット側にＷＬＡＮ補助情報及び／又はオフロードルール及び／又は負荷情報を送信することが好ましい。
【００９９】
ソース側がＵＥにターゲット側のＷＬＡＮ補助情報、オフロードルール、負荷情報の中の少なくとも一つを転送する（Ｓ１２０８）。
【０１００】
ソース側はハンドオーバー命令メッセージにターゲット側のＷＬＡＮ補助情報及び／又はオフロードルール及び／又は負荷情報を含ませてＵＥに転送することができる。ＵＥがより合理的なオフロード決定を下すように、ターゲット側の情報をＵＥに事前に知らせる。
【０１０１】
ＵＥが、ターゲット側の情報に基づいてＷＬＡＮ測定及び／又はオフロード決定を行う（Ｓ１２１０）。
【０１０２】
ＵＥは、ターゲット側のＷＬＡＮ補助情報及び／又は負荷情報を受信した後、ソース側のＷＬＡＮ補助情報に基づくＷＬＡＮ測定を停止し、ターゲット側のＷＬＡＮ補助情報に基づく測定を行うことができ、ターゲット側のＷＬＡＮ補助情報及び／又はオフロードルール及び／又は負荷情報に基づいてオフロード決定を下すことができる。ＵＥがすぐにソース側との接続を中断するので、ターゲット側の情報がより合理的に使用される。
【０１０３】
図１３は本発明の好適な実施形態３に係るフローチャートで、図１３に示すように、該プロセスは以下のステップを含む：
ＵＥがソース側に測定レポートを送信する（Ｓ１３０２）。
【０１０４】
該測定レポートは、３ＧＰＰ測定の測定結果及びＩｎｔｅｒ−ＲＡＴ測定の測定結果を含むことができ、ＷＬＡＮに関する測定結果を含むこともでき、ここでは、該ＷＬＡＮに関する測定結果は周期性の測定結果であってもよいし、イベントによってトリガーされる測定結果であってもよい。ＲＡＮ側は受信したＷＬＡＮに関する測定結果に基づいて、例えばどのＷＬＡＮを選択して、どの部分又は全部の業務又はベアラをオフロードするかのようなオフロード決定を下すことができる。
【０１０５】
現在のサービングセルの信号条件が悪くなり、ある閾値に達すると、ＵＥはＡ３イベントによってトリガーされる測定レポート及びＷＬＡＮに関する測定レポートを報知する可能性がある。ここで、ＷＬＡＮに関する測定レポートは少なくとも、ＷＬＡＮの信号強度及び信号品質や、ＷＬＡＮの負荷状況等を含む。
【０１０６】
ネットワーク側がＵＥに測定を配置する時に、ＵＥにＷＬＡＮに関する測定を配置した場合、ＵＥはＷＬＡＮに関する測定コンフィグレーションに基づいて測定結果の報知を行う必要がある。
【０１０７】
端末が報知するＷＬＡＮに関する測定レポートは、端末により測定されたＷＬＡＮの信号品質及び／又は信号強度、端末により測定されたＷＬＡＮの負荷、端末により測定されたＷＡＮ指標の中の少なくとも一つを含むことができる。
【０１０８】
ソース側がターゲット側にＷＬＡＮ補助情報、ＷＬＡＮ関連測定レポート、オフロード決定の中の少なくとも一つを送信する（Ｓ１３０４）。
【０１０９】
ソース側はＵＥが報知した測定レポートを受信した後、ＵＥに適するターゲットセルを探してハンドオーバーするとともに、ＵＥが報知したＷＬＡＮに関する測定レポートに基づいてオフロードを行う必要があるか否かを評価し、この時、ソースセルの信号条件が悪い又はソースセルの負荷が重いと、ＵＥが直ちにターゲットセルにハンドオーバーされる可能性があるので、ソース側はＵＥが報知したＷＬＡＮに関する測定結果をターゲット側に送信し、ターゲット側がオフロード決定を下すことができる。
【０１１０】
ソース側はハンドオーバー要求メッセージ又は再位置決め要求メッセージにＷＬＡＮ補助情報及び／又はＷＬＡＮに関する測定レポート及び／又はオフロード決定を含ませてターゲット側に送信することができる。
【０１１１】
上記オフロード決定は、ＲＡＮからＷＬＡＮへのオフロードの実行をＵＥに指示する情報、ＷＬＡＮからＲＡＮへのオフロードの実行をＵＥに指示する情報、ＵＥのＲＡＮでの業務又はベアラの一部又は全部をＷＬＡＮにオフロード、ＵＥのＷＬＡＮでの業務又はベアラの一部又は全部をＲＡＮにオフロードの中の少なくとも一つを含むことができる。
【０１１２】
ソース側からターゲット側に送信されるオフロード決定は、ソース側に決定された、最終的にＵＥに実行されるべきオフロード決定であってもよいし、参照用としてターゲット側に提供される選択候補のオフロード決定であってもよい。つまり、最終的なオフロード決定はソース側で決定されてもよいし、ターゲット側で決定されてもよい。
【０１１３】
ソース側は、Ｘ２インターフェースシグナル、Ｓ１シグナル、ＭＭＥにより転送する方式、Ｉｕｒインターフェースシグナル、ＳＧＳＮにより転送する方式、ＭＭＥとＳＧＳＮにより転送する方式の中の少なくとも一つによって、ＷＬＡＮ補助情報、ＷＬＡＮに関する測定レポート、オフロード決定の中の少なくとも一つのソース側情報をターゲット側に送信することが好ましい。
【０１１４】
ターゲット側がソース側にＷＬＡＮ補助情報、測定コンフィグレーション、オフロード決定の中の少なくとも一つを送信する（Ｓ１３０６）。
【０１１５】
上記測定コンフィグレーションは、測定レポートのトリガーイベント、選択候補の測定ＷＬＡＮ識別子、測定レポート報知周期、測定レポートのコンテンツ範囲の中の少なくとも一つを含むことができる。
【０１１６】
測定レポートのトリガーイベントは、ＷＬＡＮの信号品質又は信号強度がある閾値よりも高いと、測定レポートの報知をトリガーすることと、ＷＬＡＮの信号品質又は信号強度がある閾値よりも高く、且つＷＬＡＮの負荷がある閾値よりも低いと、測定レポートの報知をトリガーすることと、ＷＬＡＮの信号品質又は信号強度がある閾値よりも低いと、測定レポートの報知をトリガーすることと、ＷＬＡＮの信号品質又は信号強度がある閾値もより低く、且つＷＬＡＮの負荷がある閾値よりも高いと、測定レポートの報知をトリガーすることと、ＷＬＡＮの負荷がある閾値よりも高いと、測定レポートの報知をトリガーすることと、ＲＡＮの信号品質又は信号強度がある閾値よりも低く、且つＷＬＡＮの信号品質又は信号強度がある閾値よりも高いと、測定レポートの報知をトリガーすることと、ＲＡＮの信号品質又は信号強度がある閾値よりも低く、ＷＬＡＮの信号品質又は信号強度がある閾値よりも高く、且つＷＬＡＮの負荷がある閾値よりも低いと、測定レポートの報知をトリガーすることと、ＲＡＮの信号品質又は信号強度がある閾値よりも高く、且つＷＬＡＮの信号品質又は信号強度がある閾値よりも低いと、測定レポートの報知をトリガーすることと、ＲＡＮの信号品質又は信号強度がある閾値よりも高く、ＷＬＡＮの信号品質又は信号強度がある閾値よりも低く、且つＷＬＡＮの負荷がある閾値よりも高いと、測定レポートの報知をトリガーすることの中の少なくとも一つを含むことができる。
【０１１７】
選択候補の測定ＷＬＡＮ識別子は、基本サービスセット識別子ＢＳＳＩＤ、サービスセット識別子ＳＳＩＤ、同種拡張サービスセット識別子ＨＥＳＳＩＤ、ドメイン名リストＤｏｍａｉｎ  Ｎａｍｅ  Ｌｉｓｔ、動作級Ｏｐｅｒａｔｉｎｇ  ｃｌａｓｓ、チャネル番号ｃｈａｎｎｅｌ  ｎｕｍｂｅｒの中の少なくとも一つを含むことができる。或いは、選択候補の測定ＷＬＡＮ識別子はＷＬＡＮ補助情報中のセルカバー範囲内のＷＬＡＮリストによって確定されることもできる。
【０１１８】
測定レポート報知周期は、ＵＥが周期的にＷＬＡＮに関する測定レポートを報知する報知間隔であることができる。
【０１１９】
測定レポートのコンテンツ範囲は、ＷＬＡＮの信号強度、ＷＬＡＮの信号品質、ＷＬＡＮの負荷状況、ＷＡＮアップリンク／ダウンリンクレート及び負荷状況の中の少なくとも一つを含むことができる。
【０１２０】
ターゲット側は、Ｘ２インターフェースシグナル、Ｓ１シグナル、ＭＭＥにより転送する方式、Ｉｕｒインターフェースシグナル、ＳＧＳＮにより転送する方式、ＳＧＳＮとＭＭＥにより転送する方式の中の少なくとも一つによって、ＷＬＡＮ補助情報、測定コンフィグレーション情報、オフロード決定の中の少なくとも一つのターゲット側情報をターゲット側に送信することが好ましい。
【０１２１】
ソース側がＵＥにターゲット側のＷＬＡＮ補助情報、測定コンフィグレーション、オフロード決定の中の少なくとも一つを転送する（Ｓ１３０８）。
【０１２２】
ソース側は、ハンドオーバー命令メッセージに、ターゲット側のＷＬＡＮ補助情報、測定コンフィグレーション、オフロード決定の中の少なくとも一つのターゲット側情報を含ませてＵＥに転送することができる。
【０１２３】
なお、ここでソース側からＵＥにオフロード決定を送信する場合、当該オフロード決定はソース側で下された可能性がある。
【０１２４】
ＵＥがターゲット側の情報に基づいてＷＬＡＮ測定と測定報知及び／又はオフロードを行う（Ｓ１３１０）。
【０１２５】
好適な実施形態４：
ソース側は、ＵＥにより報知された測定レポートに基づいて複数の選択候補のターゲットセルを見つけ、これらの複数の選択候補のターゲットセルの基地局又はＲＮＣにハンドオーバー要求メッセージ又は再位置決め要求メッセージを送信する際に、その中にＷＬＡＮとの相互動作を支援する能力指示情報を含ませて、ソース側がＷＬＡＮとの相互動作機能を支援することを示すことができ、又は、現在ハンドオーバーされようとする端末がＷＬＡＮとの間でのオフロードを行っていることを示すこともできる。
【０１２６】
これらの複数の選択候補のターゲットセルの基地局又はＲＮＣは、ソース側から送信されたハンドオーバー要求メッセージ又は再位置決め要求メッセージを受信した後、端末にサービスを提供可能である場合、ソース側にハンドオーバー要求確認メッセージ又は再位置決め要求確認メッセージをフィードバックする。受信されたメッセージにはＷＬＡＮとの相互動作を支援する能力指示情報が含まれているので、選択候補のターゲットセルの基地局又はＲＮＣもＷＬＡＮとの相互動作機能を支援するのであれば、ソース側から送信された、ＷＬＡＮとの相互動作を支援する能力指示情報を識別することができる。この時、選択候補のターゲットセルの基地局又はＲＮＣは、ハンドオーバー要求確認メッセージ又は再位置決め要求にＷＬＡＮとの相互動作を支援する能力指示情報を含ませて、自体もＷＬＡＮとの相互動作機能を支援することを示すことができる。
【０１２７】
ソース側は、複数の選択候補のターゲットセルの基地局又はＲＮＣからフィードバックされたハンドオーバー要求確認メッセージ又は再位置決め要求確認メッセージを受信した後、ＷＬＡＮとの相互動作機能を支援する選択候補のターゲットセルを端末のターゲットセルとすることが好ましい。
【０１２８】
もちろん、当業者にとって、上記の本発明に係る各モジュール又は各ステップは汎用の演算装置によって実現することができ、単独の演算装置に集中させることができるし、或いは、複数の演算装置からなるネットワークに分布させることもでき、或いは、演算装置が実行可能なプログラムコードによって実現することで、それらを記憶装置に記憶させて演算装置によって実行することもでき、また、場合によって、ここで示した又は説明したステップを異なる順で実行することもでき、或いは、それらを夫々集積回路モジュールに作製し、或いはそのうちの複数のモジュール又はステップを単一の集積回路モジュールに作製して実現可能であることは明らかなことである。このように、本発明は如何なる特定のハードウェアとソフトウェアの組み合わせにも限定されない。
【０１２９】
以上は、本発明の好適な実施例に過ぎず、本発明を限定するものではない。当業者であれば本発明にさまざまな修正や変形が可能である。本発明の精神や原則内での如何なる修正、置換、改良などは本発明の保護範囲内に含まれる。
【産業上の利用可能性】
【０１３０】
上述のように、本発明の実施例に係る情報インタラクション、オフロード処理方法、装置、基地局、ＲＮＣ及び端末によれば、関連技術においてＵＥのネットワーク環境情報のインタラクションがないので、ＵＥが業務操作を行う時にＵＥエネルギー及びネットワークリソースを浪費してしまう問題を解決し、さらに、ＵＥエネルギー及びネットワークリソースを節約する効果を得られる。
【図１】
0006268290.tif 000002
【図２】
0006268290.tif 000003
【図３】
0006268290.tif 000004
【図４】
0006268290.tif 000005
【図５】
0006268290.tif 000006
【図６】
0006268290.tif 000007
【図７】
0006268290.tif 000008
【図８】
0006268290.tif 000009
【図９】
0006268290.tif 000010
【図１０】
0006268290.tif 000011
【図１１】
0006268290.tif 000012
【図１２】
0006268290.tif 000013
【図１３】
0006268290.tif 000014